(57)【要約】  血管から閉塞性血餅を除去するための血餅回収デバイスが、拘束送達構成および拡張配備構成を有する血餅係合要素（７００）を備える。拡張構成で、周囲部分が横方向に離間され、血餅係合区間（７００）が周囲部分の間を延在する。デバイス（７００）が、大きい振幅の曲線（７２３）および短いピッチの正弦波パターン（７２１、７２２）によって提供される２つの重ね合わされる波パターンを有する。波形状が、デバイスの長手方向に沿って、血餅とデバイスとの間の接触圧力を変化させ、それによりいくつかのロケーションにおいてデバイスによる血餅の圧縮を軽減する。デバイスが張力下にあるときに伸長することができ、これが取り除き中に血餅が伸長するのを補助する。【選択図】図２２ａ
2017535352.tif 000002
【特許請求の範囲】
【請求項１】
血管から閉塞性血餅を除去するための血餅回収デバイスであって、拘束送達構成および拡張配備構成を有する血餅係合要素を備え、前記血餅係合要素が、第１の周囲部分と、第２の周囲部分と、前記第１の周囲部分と第２の周囲部分との間を延在する血餅係合区間とを有し、前記拡張構成では、前記周囲部分が横方向に離間され、前記血餅係合区間が前記周囲部分の間を延在し、前記デバイスの少なくとも一部分が長手方向に延在する起伏状縁部を有する、血餅回収デバイス。
【請求項２】
前記起伏状縁部が波状の形態を有する、請求項１に記載の血餅回収デバイス。
【請求項３】
前記起伏状縁部が正弦波の形態を有する、請求項１または２に記載の血餅回収デバイス。
【請求項４】
少なくとも２つの波パターンを有する、請求項１から３までのいずれか一項に記載の血餅回収デバイス。
【請求項５】
前記波パターンが互いに重ね合わされる、請求項４に記載の血餅回収デバイス。
【請求項６】
第１のパターンが１つの波長および１つの振幅を有し、第２のパターンが、前記第１のパターンの波長および振幅より大きい１つの波長および１つの振幅を有する、請求項４または５に記載の血餅回収デバイス。
【請求項７】
前記波形状を修正するためのアクチベータを備える、請求項２から６までのいずれか一項に記載の血餅回収デバイス。
【請求項８】
前記アクチベータが少なくとも１つのプッシュワイヤおよび／または少なくとも１つのプルワイヤを備える、請求項７に記載の血餅回収デバイス。
【請求項９】
前記血餅係合要素が１つまたは複数の血餅握持特徴部分を備える、請求項１から８までのいずれか一項に記載の血餅回収デバイス。
【請求項１０】
前記拘束構成で、前記血餅回収区間が実質的に平坦である、請求項１から９までのいずれか一項に記載の血餅回収デバイス。
【請求項１１】
前記拡張構成で、前記血餅係合区間が曲線状である、請求項１０に記載の血餅回収デバイス。
【請求項１２】
前記拡張構成で、前記血餅係合区間が実質的に平坦である、請求項１０に記載の血餅回収デバイス。
【請求項１３】
前記拘束構成および前記拡張構成で、前記血餅係合区間が実質的に曲線状である、請求項１から９までのいずれか一項に記載の血餅回収デバイス。
【請求項１４】
前記拡張構成で、前記血餅係合区間が螺旋形態または渦巻き形態である、請求項１１または１３に記載の血餅回収デバイス。
【請求項１５】
前記拡張構成で、前記血餅係合区間が概略Ｓ形である、請求項１１または１３に記載の血餅回収デバイス。
【請求項１６】
前記血餅係合要素が概略反対方向を向く２つの表面を有し、一方または両方の表面が前記拡張配備構成で血餅に係合可能である、請求項１から１５までのいずれか一項に記載の血餅回収デバイス。
【請求項１７】
前記拡張配備構成にあるときに血液の流れのための流れチャンネルを画定する部分を備える、請求項１から１６までのいずれか一項に記載の血餅回収デバイス。
【請求項１８】
近位側区間と、遠位側区間と、前記近位側区間と前記遠位側区間との間にある血餅係合区間とを備え、前記近位側区間が前記血餅係合区間を基準として摺動可能に移動可能である、請求項１から９までのいずれか一項に記載の血餅回収デバイス。
【請求項１９】
前記近位側区間が、カラーと、前記カラーから延在する近位側ストラットとを備え、前記血餅係合区間が近位側シャフトを備え、前記カラーが前記近位側シャフトを基準として摺動可能に移動可能である、請求項１８に記載の血餅回収デバイス。
【請求項２０】
前記近位側区間の前記ストラットのうちの少なくともいくつかのストラットが、前記近位側シャフトを基準として前記カラーが近位方向に移動するときに前記血餅係合区間と前記近位側ストラットとの間で血餅を少なくとも部分的に捕捉するための遠位方向に延在する、請求項１９に記載の血餅回収デバイス。
【請求項２１】
前記波パターンが２．０ｍｍから６．０ｍｍの振幅を有する、請求項２または３に記載の血餅回収デバイス。
【請求項２２】
前記波パターンが３．０ｍｍから８．０ｍｍのピッチを有する、請求項２、３または２１に記載の血餅回収デバイス。
【請求項２３】
前記血餅係合区間が、ストラットおよびクラウンによって画定される複数のセルを備え、前記ストラットおよび／または前記クラウンの少なくとも一部が前記波状の形態に位置合わせされ、それにより血餅の埋め込みが改善される、請求項２から２２までのいずれか一項に記載の血餅回収デバイス。
【請求項２４】
前記デバイスの前記血餅係合区間が平坦区間および曲線状区間の両方を有する横断面を有する、請求項１から２３までのいずれか一項に記載の血餅回収デバイス。
【請求項２５】
前記拡張構成で、前記デバイスの前記血餅係合区間の少なくとも一部分が長手方向軸を中心とした概略渦巻きまたは螺旋構成である、請求項１から２４までのいずれか一項に記載の血餅回収デバイス。
【請求項２６】
前記血餅係合区間が遠位側管状区間をさらに備える、請求項２５に記載の血餅回収デバイス。
【請求項２７】
前記管状区間の遠位端のところに血餅分断部分を有する、請求項２６に記載の血餅回収デバイス。
【請求項２８】
前記血餅係合区間が、セル要素から形成される一対の側方レールを備え、前記一対の側方レールに対して複数の血餅係合ストラット要素が接続され、前記セル要素が、前記側方レールによって画定される平面の両側から突出する、請求項１から９までのいずれか一項に記載の血餅回収デバイス。
【請求項２９】
前記血餅係合区間が複数のセグメントを備え、隣接するセグメントが互いに約９０°のところで位置合わせされる、請求項１から９までのいずれか一項に記載の血餅回収デバイス。
【請求項３０】
前記セグメントの少なくともいくつかのセグメントが横断面において平坦形状である、請求項２９に記載の血餅回収デバイス。
【請求項３１】
遠位側血餅断片保護区間を備える、請求項１から３０までのいずれか一項に記載の血餅回収デバイス。
【請求項３２】
血管から閉塞性血餅を除去するための方法であって、
長手方向に延在する起伏状形態を有する血餅係合区間を有する血餅回収デバイスを提供するステップであって、前記デバイスが拘束送達構成および拡張配備構成を有する、ステップと、
閉塞性血餅の方に向かうようにおよび閉塞性血餅を横切るようにマイクロカテーテルを前進させるステップと、
前記マイクロカテーテルの中に前記デバイスを装填して前記デバイスを前記マイクロカテーテルの遠位側部分まで前進させるステップと、
前記血餅を埋め込むために前記デバイスを配備するステップと、
前記デバイスの少なくとも一部分および前記捕捉された血餅を回収カテーテルの中に回収するステップと
を含む、方法。
【請求項３３】
前記血餅の中に前記デバイスを配備するステップを含む、請求項３２に記載の方法。
【請求項３４】
前記血餅と前記血餅を囲む血管壁の一部分との間に前記デバイスの一部分を配備するステップを含む、請求項３２または３３に記載の方法。
【請求項３５】
前記血餅の中に前記デバイスを配置した後で前記デバイスを近位側に引っ張るステップを含む、請求項３３または３４に記載の方法。
【請求項３６】
前記デバイスおよび前記血餅を近位側に引っ張る前に前記血餅内にさらに埋め込ませるために、配備後に前記デバイスを近位側に引っ張るのを遅延させるステップを含む、請求項３５に記載の方法。
【請求項３７】
回収カテーテルの中に回収する前に前記デバイスをより大きい脈管の中へ引っ張るステップを含む、請求項３５または３６に記載の方法。
【請求項３８】
前記血餅の中に前記デバイスを埋め込むために前記デバイスを捻じるステップを含む、請求項３２から３７までのいずれか一項に記載の方法。
【発明の詳細な説明】
【技術分野】
【０００１】
本発明は血管から急性（ａｃｕｔｅ）妨害物を除去することを対象としたデバイスに関する。
【背景技術】
【０００２】
急性妨害物には、血餅、誤って配置されたデバイス、移動したデバイス、および、大きい塞栓などが含まれ得る。血栓の一部またはすべてが血管壁から分離する場合に血栓塞栓症が発症する。次いでこの血餅（ここでは塞栓と呼ばれる）が血流の方向に運ばれる。血餅が脳血管系内に留まる場合には虚血性脳卒中につながる可能性がある。血餅が静脈系または心臓の右側を発生源として肺動脈内にまたはその分枝内に留まる場合には肺塞栓症につながる可能性がある。また、血餅が、塞栓の形態で放出されることなく、大きくなって血管を局部的に詰まらせる可能性がある−このメカニズムは冠動脈妨害物の形成では一般的である。本発明は、急性虚血性脳卒中（ＡＩＳ：ａｃｕｔｅ  ｉｓｃｈｅｍｉｃ  ｓｔｒｏｋｅ）を患う患者の大脳動脈から血餅を除去すること、心筋梗塞（ＭＩ：ｍｙｏｃａｒｄｉａｌ  ｉｎｆａｒｃｔｉｏｎ）を患う患者の冠動脈の生まれつきの脈管または移植管から血餅を除去すること、および、肺塞栓症（ＰＥ：ｐｕｌｍｏｎａｒｙ  ｅｍｂｏｌｉｓｍ）を患う患者の肺動脈から血餅を除去すること、ならびに、血餅により閉塞が生じているところの他の末梢性の動脈血管および静脈血管から血餅を除去することに特に適する。
【発明の概要】
【課題を解決するための手段】
【０００３】
本発明によると、血管から閉塞性血餅を除去するための血餅回収デバイスが提供され、これが、拘束送達構成および拡張配備構成を有する血餅係合要素を備え、ここでは、デバイスの少なくとも一部分が長手方向に延在する起伏状縁部を有する。
【０００４】
一事例では、血餅係合要素が、第１の周囲部分と、第２の周囲部分と、第１の周囲部分と第２の周囲部分との間を延在する血餅係合区間とを有し、拡張構成では、これらの周囲部分が横方向に離間され、血餅係合区間がこれらの周囲部分の間を延在する。
【０００５】
一実施形態では、起伏状縁部が波状の形態を有する。起伏状縁部が正弦波の形態を有することができる。
一事例では、デバイスが少なくとも２つの波パターンを有する。これらの波パターンが互いに重ね合わされ得る。一事例では、第１のパターンが１つの波長および１つの振幅を有し、第２のパターンが、第１のパターンの波長および振幅より大きい１つの波長および１つの振幅を有する。
【０００６】
一実施形態では、血餅回収デバイスが、波形状を修正するためのアクチベータ（ａｃｔｉｖａｔｏｒ）を備える。アクチベータが少なくとも１つのプッシュワイヤおよび／または少なくとも１つのプルワイヤを備えることができる。
【０００７】
一事例では、血餅係合要素が１つまたは複数の血餅握持特徴部分を備える。
一実施形態では、拘束構成で、血餅係合区間が実質的に平坦である。
拡張構成で、血餅係合区間が曲線状であってよい。
【０００８】
拡張構成で、血餅係合区間が実質的に平坦であってよい。
一実施形態では、拘束構成および拡張構成で、血餅係合区間が実質的に曲線状である。
一事例では、拡張構成で、血餅係合区間が螺旋形態または渦巻き形態である。
【０００９】
拡張構成で、血餅係合区間が概略ｓ形であってよい。
一実施形態では、血餅係合要素が概略反対方向を向く２つの表面を有し、一方または両方の表面が拡張配備構成で血餅に係合可能である。
【００１０】
一実施形態では、デバイスが、デバイスが拡張配備構成にあるときに血液の流れのための流れチャンネルを画定する部分を備える。
一事例では、デバイスが、近位側区間と、遠位側区間と、近位側区間と遠位側区間との間にある血餅係合区間とを備え、ここでは、近位側区間が血餅係合区間を基準として摺動可能に移動可能である。近位側区間が、カラーなどの摺動可能要素と、カラーから延在する近位側ストラットとを備えることができ、血餅係合区間が近位側シャフトを備え、カラーが近位側シャフトを基準として摺動可能に移動可能である。近位側区間のストラットのうちの少なくともいくつかのストラットが、近位側シャフトを基準としてカラーが近位方向に移動するときに血餅係合区間と近位側ストラットとの間で血餅を少なくとも部分的に捕捉するために遠位方向に延在してよい。
【００１１】
一実施形態では、波パターンが２．０ｍｍから６．０ｍｍの振幅を有する。波パターンが３．０ｍｍから８．０ｍｍのピッチを有することができる。
一実施形態では、血餅係合区間が、ストラットおよびクラウンによって画定される複数のセルを備え、ストラットおよび／またはクラウンの少なくとも一部が波状の形態に位置合わせされ、それにより血餅の埋め込みが改善される。
【００１２】
一事例では、デバイスの血餅係合区間が平坦区間および曲線状区間の両方を有する横断面を有する。
一実施形態では、拡張構成で、デバイスの血餅係合区間の少なくとも一部分が長手方向軸を中心とした概略渦巻きまたは螺旋構成である。血餅係合区間が遠位側管状区間をさらに備えることができる。血餅分断部分（ｃｌｏｔ  ｆｒａｇｍｅｎｔ  ｐｏｒｔｉｏｎ）が管状区間の遠位端のところに設けられ得る。
【００１３】
一実施形態では、血餅係合区間が、セル要素から形成される一対の側方レールを備え、この一対の側方レールに対して複数の血餅係合ストラット要素が接続され、セル要素が、側方レールによって画定される平面の両側から突出する。
【００１４】
別の実施形態では、血餅係合区間が複数のセグメントを備え、隣接するセグメントが互いに約９０°のところで位置合わせされる。セグメントのうちの少なくともいくつかのセグメントが横断面において平坦形状であってよい。
【００１５】
すべての実施形態で、血餅回収デバイスが遠位側血餅断片保護区間を備えることができる。
本発明は血管から閉塞性血餅を除去するための方法をさらに提供し、この方法が、
長手方向に延在する起伏状形態を有する血餅係合区間を有する血餅回収デバイスを提供するステップであって、このデバイスが拘束送達構成および拡張配備構成を有する、ステップと、
閉塞性血餅の方に向かうように且つ閉塞性血餅を横切るようにマイクロカテーテルを前進させるステップと、
マイクロカテーテルの中にデバイスを装填してデバイスをマイクロカテーテルの遠位側部分まで前進させるステップと、
血餅を埋め込ませるためにデバイスを配備するステップと、
デバイスの少なくとも一部分および捕捉された血餅を回収カテーテルの中に回収するステップと、
を含む。
【００１６】
一実施形態では、この方法が血餅の中にデバイスを配備することを含む。
いくつかの事例では、この方法が、血餅と血餅を囲む血管壁の一部分との間にデバイスの一部分を配備することを含む。
【００１７】
一実施形態では、この方法が、血餅の中にデバイスを配備した後でデバイスを近位側に引っ張ることを含む。
この方法が、デバイスおよび血餅を近位側に引っ張る前に血餅内にさらに埋め込ませるために、配備後にデバイスを近位側に引っ張るのを遅延させることを含むことができる。
【００１８】
一実施形態では、この方法が、回収カテーテルの中に回収する前にデバイスをより大きい脈管の中へと近位側に引っ張ることを含む。
いくつかの事例では、この方法が血餅の中にデバイスを埋め込むためにデバイスを捻じることを含む。
【００１９】
本発明によると、血管から閉塞性血餅を除去するための血餅回収デバイスが提供され、このデバイスが、拘束送達構成および拡張配備構成を有する血餅係合要素を備え、血餅係合要素が、第１の周囲部分と、第２の周囲部分と、第１の周囲部分と第２の周囲部分との間を延在する血餅係合区間とを有し、拡張構成では、これらの周囲部分が横方向に離間され、血餅係合区間がこれらの周囲部分の間を延在する。
【００２０】
一実施形態では、拘束構成で、血餅係合区間が実質的に平坦である。
一事例では、拡張構成で、血餅係合区間が曲線状である。
別の事例では、拡張構成で、血餅係合区間が実質的に平坦である。
【００２１】
一実施形態では、拘束構成および拡張構成で、血餅係合区間が実質的に曲線状である。
一事例では、拡張構成で、血餅係合区間が螺旋形態または渦巻き形態である。
別の事例では、拡張構成で、血餅係合区間が概略ｓ形である。
【００２２】
一実施形態では、血餅係合要素が概略反対方向を向く２つの表面を有し、いずれかの面が拡張配備構成で血餅に係合可能である。
一事例では、デバイスが、デバイスが拡張配備構成にあるときに血液の流れのための流れチャンネルを画定する部分を備える。
【００２３】
一実施形態では、デバイスの少なくとも一部分が起伏状縁部を備える。起伏状縁部が正弦波の形態または他の波状の形態を有することができる。
一事例では、デバイスが、重ね合わされ得る少なくとも２つの波パターンを有する。第１のパターンが１つの波長および１つの振幅を有し、第２のパターンが、第１のパターンの波長および振幅より大きい１つの波長および１つの振幅を有する。
【００２４】
一実施形態では、デバイスが波形状を修正するためのアクチベータを備える。アクチベータが少なくとも１つのプッシュワイヤ／プルワイヤを備える。
一事例では、血餅係合要素が１つまたは複数の血餅握持特徴部分を備える。
【００２５】
デバイスが遠位側捕捉部分を備えることができる。
一事例では、デバイスが、Ｎｉｔｉｎｏｌなどの形状記憶材料の平坦シートから形成される。
【００２６】
本発明は、血管から閉塞性血餅を除去するための方法をさらに提供し、この方法が、
本発明の血餅回収デバイスを提供することと、
マイクロカテーテルの中にデバイスを装填することであって、ここでは、デバイスが拘束送達構成である、ことと、
マイクロカテーテルを閉塞性血餅まで前進させることと、
血餅を捕捉するためにデバイスを配備することと、
捕捉された血餅と共にデバイスを回収カテーテルの中に回収することと
を含む。
【００２７】
デバイスが、デバイスと血管壁との間で血餅を動かないようにするために血餅の中に配備され得る。別法として、デバイスが血餅と血餅を囲む血管壁の一部分との間に配備される。
【００２８】
添付図面を参照する単に例として与えられる本発明のいくつかの実施形態の以下の説明から本発明がより明瞭に理解される。
【図面の簡単な説明】
【００２９】
【図１ａ】図１ａは、本発明の血餅回収デバイスを示す図である。
【図１ｂ】図１ｂは、遠位側断片保護部分を有する別の血餅回収デバイスを示す図である。
【図２ａ】図２ａは、脈管内の血餅の領域にあるマイクロカテーテル内にある図１ａのデバイスを示す断面図である。
【図２ｂ】図２ｂは、拡張配備構成の図２ａのデバイスを示す図である。
【図２ｃ】図２ｃは、直線の向きの巻かれた構成の、図２ａのデバイスを備えるマイクロカテーテルを示す断面図である。
【図２ｄ】図２ｄは、円形の向きの巻かれた構成の、図２ａのデバイスを備えるマイクロカテーテルを示す断面図である。
【図３ａ】図３ａは、脈管内に配備された血餅回収デバイスを示す等角図である。
【図３ｂ】図３ｂは、脈管内に配備された血餅回収デバイスを示す側面図である。
【図４】多様な異なるセル形状および切断パターンを有する血餅回収デバイスを示す図である。
【図５】多様な異なるセル形状および切断パターンを有する血餅回収デバイスを示す図である。
【図６】多様な異なるセル形状および切断パターンを有する血餅回収デバイスを示す図である。
【図７】デバイスを通る流れルーメンを有する血餅回収デバイスを示す等角図である。
【図８ａ】図８ａは、円形またはｕ形のチャンネルを有する平坦パターンの血餅回収デバイスを示す図である。
【図８ｂ】図８ｂは、円形またはｕ形のチャンネルを有する平坦パターンの血餅回収デバイスを示す図である。
【図９】流れチャンネルを有する別の血餅回収デバイスを示す図である。
【図１０】流れチャンネルを有する別の血餅回収デバイスを示す図である。
【図１１ａ】図１１ａは、平坦構成の一部分を有する別の血餅回収デバイスを示す図である。
【図１１ｂ】図１１ｂは、平坦構成の一部分を有する別の血餅回収デバイスを示す図である。
【図１１ｃ】図１１ｃは、平坦構成の一部分を有する別の血餅回収デバイスを示す図である。
【図１１ｄ】図１１ｄは、平坦構成の一部分を有する別の血餅回収デバイスを示す図である。
【図１２】螺旋形状である血餅回収デバイスを示す図である。
【図１３】螺旋形状である血餅回収デバイスを示す図である。
【図１４ａ】図１４ａは、遠位側保護部分を備える別の螺旋状デバイスを示す図である。
【図１４ｂ】図１４ｂは、遠位側保護部分を備える別の螺旋状デバイスを示す図である。
【図１５】遠位側保護部分を備える別の螺旋状デバイスを示す図である。
【図１６】デバイスの長手方向に沿って捻じられた別の血餅回収デバイスを示す図である。
【図１７ａ】図１７ａは、本発明の別の血餅回収デバイスを示す等角図である。
【図１７ｂ】図１７ｂは、図１７ａのデバイスの一部分を示す断面図である。
【図１７ｃ】図１７ｃは、使用中の図１７ａおよびｂのデバイスを示す図である。
【図１７ｄ】図１７ｄは、使用中の図１７ａおよびｂのデバイスを示す図である。
【図１７ｅ】図１７ｅは、使用中の図１７ａおよびｂのデバイスを示す図である。
【図１８ａ】図１８ａは、セルパターンおよびストラットの詳細を省略した、流れチャンネルを備える別の血餅回収デバイスを示す図である。
【図１８ｂ】図１８ｂは、セルパターンおよびストラットの詳細を省略した、流れチャンネルを備える別の血餅回収デバイスを示す図である。
【図１９ａ】図１９ａは、管状のｓ形またはｕ形の中央区間と組み合わされた波状縁部を備える血餅回収デバイスを示す図である。
【図１９ｂ】図１９ｂは、管状のｓ形またはｕ形の中央区間と組み合わされた波状縁部を備える血餅回収デバイスを示す図である。
【図１９ｃ】図１９ｃは、管状のｓ形またはｕ形の中央区間と組み合わされた波状縁部を備える血餅回収デバイスを示す図である。
【図２０】デバイスの長手方向に沿って渦巻き状となる、ｓ形断面を備える血餅回収デバイスを示す図である。
【図２１ａ】平坦な中間区間を備える別の血餅回収デバイスを示す図である。
【図２１ｂ】平坦な中間区間を備える別の血餅回収デバイスを示す図である。
【図２１ｃ】平坦な中間区間を備える別の血餅回収デバイスを示す図である。
【図２１ｄ】図２１ａのデバイスの断片保護領域を示す図である。
【図２１ｅ】図２１ａのデバイスの中間区間の一部分を示す図である。
【図２２ａ】図２２ａは、本発明による別のデバイスの血餅係合部分を示す等角図である。
【図２２ｂ】図２２ｂは、本発明による別のデバイスの血餅係合部分を示す平面図である。
【図２２ｃ】図２２ｃは、本発明による別のデバイスの血餅係合部分を示す側面図である。
【図２３ａ】図２３ａは、使用中の血餅回収デバイスを示す概略図である。
【図２３ｂ】図２３ｂは、使用中の血餅回収デバイスを示す概略図である。
【図２４ａ】図２４ａは、本発明の別の血餅回収デバイスを示す図である。
【図２４ｂ】図２４ｂは、本発明の別の血餅回収デバイスを示す図である。
【図２４ｃ】図２４ｃは、本発明の別の血餅回収デバイスを示す図である。
【図２５ａ】図２５ａは、本発明の別の血餅回収デバイスを示す図である。
【図２５ｂ】図２５ｂは、本発明の別の血餅回収デバイスを示す図である。
【図２５ｃ】図２５ｃは、本発明の別の血餅回収デバイスを示す図である。
【図２６ａ】本発明の血餅回収デバイスの使用方法を示す図である。
【図２６ｂ】本発明の血餅回収デバイスの使用方法を示す図である。
【図２６ｃ】本発明の血餅回収デバイスの使用方法を示す図である。
【図２６ｄ】本発明の血餅回収デバイスの使用方法を示す図である。
【図２７ａ】図２７ａは、概略波形状のデバイスを示す一連の図である。
【図２７ｂ】図２７ｂは、概略波形状のデバイスを示す一連の図である。
【図２７ｃ】図２７ｃは、概略波形状のデバイスを示す一連の図である。
【図２７ｄ】図２７ｄは、概略波形状のデバイスを示す一連の図である。
【図２８ａ】図２８ａは、血餅回収デバイスを示す等角図である。
【図２８ｂ】図２８ｂは、血餅回収デバイスを示す側面図である。
【図２８ｃ】図２８ｃは、血餅回収デバイスを示す平面図である。
【図２９ａ】図２９ａは、本発明の別の血餅回収デバイスを示す平面図である。
【図２９ｂ】図２９ｂは、本発明の別の血餅回収デバイスを示す断面図である。
【図３０ａ】本発明の別の血餅回収デバイスの使用方法を示す図である。
【図３０ｂ】本発明の別の血餅回収デバイスの使用方法を示す図である。
【図３０ｃ】本発明の別の血餅回収デバイスの使用方法を示す図である。
【図３０ｄ】本発明の別の血餅回収デバイスの使用方法を示す図である。
【図３０ｅ】本発明の別の血餅回収デバイスの使用方法を示す図である。
【図３０ｆ】本発明の別の血餅回収デバイスの使用方法を示す図である。
【図３１】別の血餅回収デバイスを示す等角図である。
【図３２ａ】図３２ａは、本発明の別の血餅回収デバイスを示す等角図である。
【図３２ｂ】図３２ｂは、本発明の別の血餅回収デバイスを示す端面図である。
【図３３ａ】図３３ａは、本発明の別の血餅回収デバイスを示す等角図である。
【図３３ｂ】図３３ｂは、本発明の別の血餅回収デバイスを示す端面図である。
【発明を実施するための形態】
【００３０】
次に、同一の参照符号が同一の要素または機能的に類似する要素を示している図を参照しながら本発明の特定の実施形態を詳細に説明する。「遠位側」または「近位側」という用語は、以下の説明では、治療を行っている医師を基準とした位置または方向に関連して使用される。「遠位側」または「遠位側に」は医師から離れた位置または医師から離れる方向である。「近位側」または「近位側に」または「近接」は医師に近い位置または医師の方に向かう方向である。
【００３１】
脳血管、環状血管および肺静脈にアクセスすることには、多数の市販の製品および従来の手技ステップを使用することが伴われる。ガイドワイヤ、ガイドカテーテル、血管造影用カテーテルおよびマイクロカテーテルなどのアクセス製品は良く知られているものであり、カテーテル検査手技（ｃａｔｈｅｔｅｒ  ｌａｂｏｒａｔｏｒｙ  ｐｒｏｃｅｄｕｒｅ）で通常使用されるものである。以下の説明では、これらの製品および方法が本発明のデバイスおよび方法と併せて採用されるが、詳細には説明されない。
【００３２】
以下の詳細な説明は本質的に単に例示であり、本発明または本発明の用途および使用を限定することを意図されない。本発明の説明は多くの事例において頭蓋内動脈の治療の文脈にあるが、本発明は他の身体内通路（ｂｏｄｙ  ｐａｓｓａｇｅｗａｙ）でも使用され得る。
【００３３】
開示されるデバイスの拡張可能部材は、望ましくは、大きく変形させられた送達構成から解放されると自動でその形状に戻ることができる材料から作られる。Ｎｉｔｉｎｏｌまたは同様の特性を有する合金などの超弾性材料が特に適する。材料は、ワイヤまたはストリップまたはシートまたはチューブなどの多くの形態であってよい。特に適する製造プロセスは、Ｎｉｔｉｎｏｌのチューブをレーザ切断して得られた構造をヒートセットおよび電解研磨してストラットおよび接続要素のフレームワークを作ることである。このフレームワークは本明細書で開示される広範囲の形状のうちのいずれかであってよく、合金化元素（例えば、白金など）を加えることにより、または、様々な他の被覆物もしくはマーカーバンドにより、蛍光透視下で可視とされ得る。
【００３４】
参照によりその内容全体が本明細書に組み込まれる我々のＷＯ２０１２／１２０４９０Ａで説明されるように、血餅を圧縮することで血餅の特性を変化させる可能性があり、血餅がより固くおよび「より粘着質になる」ことで血餅が回収しにくくなる可能性がある。本発明のデバイスは、血餅の一部またはすべてを脈管から薄い層に裂くことと、大きい表面積にわたって血餅に係合されることと、血餅の圧縮を最小にしてこれを行うこととにより、血餅と血管壁との間で拡張することにより血餅の回収を容易にすることを意図される。拡張して血餅に係合されるときにデバイスが血餅を大きく変位させる必要がないことから、血餅の圧縮が最小となる。代わりに、デバイスは、その拡張を誘導するために血餅自体および血管壁を拘束することを利用し、この接触面領域内で拡張する。
【００３５】
その最も単純な形態では、デバイスの拘束されていない血餅係合部分が概略反対方向を向く２つの表面を有する。血餅係合部分は、閉塞箇所内に配備されるときに血餅および血管壁によって拘束されることから、拡張するためには曲線形状を採用しなければならない。この曲線形状は、内側面（血餅に接触する）および外側面（血管壁に接触する）を有するものとみなされ得る。マイクロカテーテルを通して標的部位まで送達されるとき、デバイスの向きは使用者に知られなくてよく、また、使用者の管理の範囲外であってよい。このデザインの利点は、デバイスのいずれの表面も内側表面または外側表面になることができることであり、それによりデバイスが効果的に両面用となる。
【００３６】
この平坦なデバイスが、血餅を跨る血液連通チャンネルを形成するために血餅の一領域を圧縮する部分を備えることができる。このようなチャンネルは次の２つの重要な目的を果たす：１）血餅に跨る圧力勾配を低減し、それにより、血餅を後退させるために打ち勝たなければならない力のうちの１つの力を低減し、２）含酸素の栄養運搬血液を血餅の遠位側の虚血領域に到達させるための流れ経路を提供する。この部分は、図７、９、１０に示されるような管形状もしくは円筒形状を有することができるか、または、図１９に示されるような部分的に円筒形の形状もしくは「Ｕ」形を有することができるか、または、血餅の近位端から遠位端まで血餅を有さないチャンネルを作るために血餅の個別の部分を変位させるようにするための他の形状を有することができる。
【００３７】
本明細書で説明されるデバイスはすべて、図１、９、１２および１４に示されるような遠位側断片捕捉部分をさらに備えることができる。この部分が、回収中に解放される可能性があるいかなる血餅断片も遠位側へ移動させるのを防止するために、理想的には血餅の遠位側に配備される。
【００３８】
図１ａが、その近位端のところでシャフト１０２に接続されてその遠位端のところで断片保護部分１１３に接続される血餅係合ボディ１０１を備える、本発明の血餅回収システム１００を示す。血餅係合ボディが、軸方向ストラット１０５および横断ストラット１０７のフレームワークを備え、横断ストラットが近位側接続点１０８および遠位側クラウン１０６を備える。他の実施形態では、図３から１０に示されるような代替的デザインの血餅係合ボディが採用され得る。この事例の断片保護部分１１３がストラットフレームワーク１０３および繊維マトリックス１０４を備える。自由拡張構成の血餅係合ボディ１０１の形状は主として平坦である。デバイスが脈管内に配備されるときに内側および外側を有し、内側１１２が血餅に接触し、外側１１１が血餅から離れる方を向く。デバイスの配備の向きが、いずれの側が血餅に接触していずれの側が離れる方向を向くかを決定する。デバイスの両側は同様のものであり、したがって、デバイスの性能に影響することなくいずれの側も血餅に接触するように配備され得る。血餅係合ボディの材料はＮｉｔｉｎｏｌまたは同様の超弾性合金もしくは擬弾性合金であってよく、あるいは、マイクロカテーテルから配備されるときに戻るのを可能にするような十分な弾性歪みを有するようなステンレス鋼または他の材料であってよい。この材料は材料の平坦シートからレーザ切断され得るかまたはチューブからレーザ切断され得てその後で平坦になるように加工されてもよい。
【００３９】
図２ａが、マイクロカテーテル１０９が通過した脈管１２５内の閉塞性クロット１１０を通る断面図を示す。血栓摘出デバイス１００がその折り畳み送達構成でマイクロカテーテル１０９内に示される。このデバイスを導入するために、標準的な介入手技のように、最初に、血栓または血の塊１１０がガイドワイヤおよびマイクロカテーテル１０９によって横切られる。次いで、標準的な手技のように、ガイドワイヤが取り外され、デバイスが導入される。このデバイスが平坦形状であることにより、図２ｂに示されるように、脈管の円周に沿うように血餅と血管壁との間で拡張することが可能となり、配備後に「Ｕ」形を形成するデバイスが得られ、ここでは、血餅係合ボディの内側１１２が血餅の方を向いて血餅に係合され、血餅係合ボディの外側１１１が血管壁の方を向く。血餅と血管壁との間にデバイスを配置することにより血餅と血管壁との間の接触面積が低減され、それにより血餅と血管壁との間の係合が軽減されてさらにそれにより脈管から血餅を取り除くのに必要となる力が低減される。したがって、デバイスを後退させることにより、血餅が取り除かれて、近位側に配置されるカテーテルまたはシースへと回収され得、必要である場合にこれが吸引によって補助される。別法として、マイクロカテーテルまたは中間カテーテルがデバイスを部分的に再装填するように前に進められ得、それによりデバイス１００のセルパターンが閉じてストラットの間に血餅を挟み、それによりデバイスと血餅との間での握持が改善される。また、再装填中に「Ｕ」形の腕部が血餅の方に屈曲することができ、それにより血餅に対してのデバイスの握持が改善され、また除去が容易になる。デバイスおよび血餅が中間カテーテルを介する形で再装填されて完全に除去され得るか、または、部分的に再装填されたデバイスおよび血餅が中間カテーテルを用いて近位側に配置されるガイドカテーテルもしくはシースまで後退させられ得る。これは吸引の補助ありでもなしでも行われ得る。
【００４０】
図１ｂに示されるように、血餅係合ボディの遠位端が断片保護部分１１３に接続され得るかまたはそれと一体であってよい。断片保護部分は、自由拡張構成では、平坦形状、管状形状、円錐形状、または、不規則な形状であってよく、実質的に平面的であってよいか、または、図２１ｄに示されるメッシュ構造などの「３Ｄ」フィルタリングボディ（ｆｉｌｔｅｒｉｎｇ  ｂｏｄｙ）を形成するように一定の容積を占有してもよい。脈管内での配備構成では、この部分が、塞栓性の断片を血流（ｂｌｏｏｄｓｔｒｅａｍ）の中に放出するのを防止するような、塞栓性の断片を捕捉する手法を提供する。断片保護部分はデバイスのストラットから構成され得、これは、血流を部分的にのみ制限しながら塞栓性デブリを捕らえるための、糸を通される（ｔｈｒｅａｄｅｄ）か、編み込まれるか、または、網状の、繊維、重合体フィルムまたは他の材料である。
【００４１】
図１ａに示される実施形態では、血餅係合ボディ１０１がデバイスの長手方向に沿う繰り返しのセルパターン１０７で形成され、自由拡張構成において平坦である。切断パターンが多様なセル形状および接続されないクラウンを有することができる。
【００４２】
図２ｃおよび２ｄが、図２ａのマイクロカテーテルおよび巻かれたデバイスの詳細断面図を示す。デバイスが折り畳み構成である場合、血餅結合ボディが図２ｄに示されるように円形の向き１２７で巻かれ得るか、または、デバイスが図２ｃに示されるように直線の向き１２６でストラットを位置合わせするようにラップダウンする（ｗｒａｐ  ｄｏｗｎ）ことができる。この折り畳みの線形の向きはデバイスが直線状に拡張するのを促進することができ、それにより血餅と血管壁との間でデバイスが拡張することが容易になる。
【００４３】
図３ａが、脈管内に配備される場合でも平坦形状を維持するデバイスの実施形態を示す（等角図）。この図は、脈管１５１内に配備されて閉塞性の血の塊１５２の下に配置された平坦なデバイス１５０を示す。デバイスの平坦区間１５４が近位側シャフト１５３に接続され、それによりデバイスを導入および回収することが容易になる。平坦区間１５４が、血餅に係合されて血餅の中に埋め込まれるストラット１５８とセル１５９とのパターンで構成される。平坦なデバイスを使用することにより、血餅の長手方向に沿って径方向の力を作用させる管状デバイスとは異なり血餅がデバイスによって大きく圧縮されないことから、脈管から血餅を握持および除去することの性能を向上させることができる。
【００４４】
図３ｂが図３ａに示されるデバイスおよび血餅の側面図を示す。この図では、平坦なデバイス１５６のストラット１５５が血餅１５２の中に埋め込まれて示される。このように埋め込むことにより血餅のいくつかの部分１５７がデバイスセルを通って突出するようになり、それにより血餅に対してのデバイスの握持が改善される。この図は、血餅に対してのデバイスの良好な握持を達成するのに血餅を大きく圧縮することをいかにして必要ないものとするかを示す。
【００４５】
ストラットの埋め込みおよびデバイスセルの中への血餅の突出のレベルが、血餅に対してデバイスが作用させることができる握持のレベルに影響する。ストラットの幅、長さ、セル形状およびサイズなどの、デバイスの切断パターン、クラウンの内径、フローティングクラウンのデザインが、すべて、血餅内でのストラットの埋め込みのレベルに影響する。図４、５および６が、多様なセル形状および切断パターンを有する種々の実施形態を示す。図４が、多数の接続されないフローティングクラウン１７８を備える平坦なデバイス１７５を示す。図５が、「バックボーン」ストラット２０８により中央クラウンが一体に接続されることを除いて、同様の平坦なデバイス２００を示す。図６が、平坦なデバイス２２５の長手方向に沿って接続される複数のセル２２９を備える平坦なデバイスの別の反復を示す。
【００４６】
図７に示される別の実施形態では、平坦パターンが管状中間区間２５２に組み合わされ、血餅内に最初に配備されるときにデバイスを通る流れルーメンを提供する。この流れルーメン２５２は一体のまたは分離した管状構成要素によって形成され得る。配備時、流れルーメンの各側でデバイスの平坦区間が血餅と血管壁との間でさらに拡張する。図８ａおよび８ｂが、デバイス内に円形チャンネルまたはＵ形チャンネル２８８を形成するようにヒートセットされ得る代替の平坦パターン２７５を示す。これは、熱処理の前に図８ｂに示されるような固定具２８５内でデバイスをクランプすることによって達成され得る。示されるセルパターン２０８は、配備時に血餅が中央チャンネル内の流れを妨害するリスクを最小にするために、および、デバイスの柔軟性を向上させるために、外側の平坦区間２８１および中央のＵ形チャンネル２７９で異なるセルサイズおよび形状を有する。
【００４７】
図９が図７のデバイス２５０のデザインに非常に類似するデバイス３００を示すが、遠位側のメッシュ構成要素３０１をさらに備える。この遠位側のメッシュ構成要素が、管状中間区間３０２の遠位端に取り付けられ得るか、または、管状部材を通って延びて近位側の細長いシャフト３０４に接続される接続部材３０３に取り付けられ得る。この遠位側のメッシュ構成要素３０１は、モノフィラメントまたはマルチフィラメントであり得る１つまたは複数のフィラメントまたは繊維から形成され、超高分子量ポリエチレン（ＵＨＭＷＰＥ：Ｕｌｔｒａ−Ｈｉｇｈ  Ｍｏｌｅｃｕｌａｒ  Ｗｅｉｇｈｔ  Ｐｏｌｙｅｔｈｙｌｅｎｅ）、液晶高分子（ＬＣＰ：Ｌｉｑｕｉｄ  Ｃｒｙｓｔａｌ  Ｐｏｌｙｍｅｒ）、ポリエチレン（ＰＥ）、ポリエチレンテレフタレート（ＰＥＴ）、ポリアミド（ＰＡ）、ポリエチレンナフタレート（ＰＥＮ）、もしくは、アラミドなど、の高強度重合材料または金属材料であり得る。金属材料である場合、繊維またはフィラメントが好適には、Ｎｉｔｉｎｏｌなどの、形状記憶材料または超弾性材料から形成され、その結果、マイクロカテーテル内での圧縮構成から、デバイスを配備しているところの脈管の直径とほぼ等しい直径の密集したメッシュを形成するように戻ることができるようになり、それにより血餅断片が遠位側に移動することが防止される。
【００４８】
図１０に示される実施形態では、デバイスが流れルーメンを提供する中央管状構成要素３２１で構成され、これがデバイスの長手方向に沿って放射状アーム３２７と組み合わされる。これらの放射状アーム３２７が接続部材３２５を通して近位側シャフト３２４に接続され、また、接続点３２２のところで繊維またはワイヤ３２３に接続され、配備時に血餅と血管壁との間で拡張し、それにより血餅と血管壁との間の摩擦を低減する。後退中、繊維が血餅にさらに係合され、血餅を握持して血餅を脈管から取り除くのを補助し、血餅を近位側カテーテルまたはシースに回収する。この図はまた、デバイス上にある近位側シャフト３２４および遠位側Ｘ線不透過性先端部３２８を示す。
【００４９】
図１１ａ〜ｂに示されるようなデバイスの別の実施形態では、デバイス３５５の平坦区間が、管状デバイスの一部分をヒートセットして平坦構成（図１１ｂ）にすることにより、形成される。ヒートセットされて平坦構成となるデバイスの区間はデバイスの管状区間もしくは円錐区間に隣接してよいかまたは２つの管状区間の間にあってよく、あるいは、デバイスの全長にあってもよい。この形成手法は、２層のストラットおよびクラウン３７０および３７１を含む平坦区間を作ることができる。平坦化する前のデバイス３５４の切断パターンは、平坦構成となるように形状を変えた後で両方の層が同じストラットパターンを有して上側と下側でストラットおよびクラウンが位置合わせされることになるように、構成され得る。別法として、ストラットパターンは、ストラットが位置合わせされないが、ストラット３７２の間に血餅を埋め込むためのスペースを残すことになるように、設計されてもよい。これにより、デバイスが後退させられるか、または、中間カテーテル、ガイドカテーテルもしくはマイクロカテーテルの中に部分的に再装填されるときにストラットが血餅を挟むことが可能となる（図１１ｃ）。ストラットにより血餅を挟むことにより、血餅に対するデバイスの握持が強化され、困難な血餅を取り除くためのデバイスの能力が向上する。この構成手法は、平坦区間３５５を管状３５６のおよび円錐形状３５８の遠位側断片保護区間と組み合わせるのを容易にする。
【００５０】
図１２および１３に示されるデバイスの別の実施形態では、デバイス４００が螺旋形状で形成され、ここでは、デバイスのボディが、デバイスの全長に沿って大部分が血管壁に接触することになるように脈管内で適合する。この場合、デバイスの中心線も螺旋経路を形成する。このデバイスは、チューブから必要なストラットパターン４０９をレーザ切断することにより、または、平坦シートを切断してヒートセットの前に平坦部分をシリンダ４０８の周りで巻くことにより、形成され得る。したがって、デバイスはシリンダの周りに幅広のリボンを巻く場合と同様の形状を有する。
【００５１】
脈管の軸に沿って見ると、このデバイスは脈管ルーメンの中に大きく入り込まない。血餅と血管壁との間にデバイスを配置することにより、血管壁に接触する血餅の領域が縮小され、それにより血餅と脈管との間の摩擦が最小となり、取り除くときの力が低減される。このデバイスはまた、血餅がデバイスのルーメン内部にあるときに血餅を圧縮しないという利点を有し、それにより血餅を取り除くことが容易になる。標準的なステントリーバーのデバイスが血餅に係合され、その結果、血餅の大部分がデバイスの外側半径方向表面上に配置されることになり、ここでは血餅がストラットの間の切断パターンの開いたセルの中に部分的に突出することになる。本発明のデバイスは、ストラットおよびクラウンにより血餅を圧縮することなく血餅の全体をデバイスのルーメン内に配置するのを容易にする。シリンジまたは真空ポンプを用いての吸引中、標準的なステントリーバーに対してデバイス上の血餅が係合されることで、血餅とデバイスのストラットとの間の係合を理由として吸引カテーテルまたは中間カテーテルの中へ血餅が流れることが阻害される可能性がある。この実施形態のデバイスは、血餅が完全にデバイスのルーメンの中にあることおよびストラットが吸引カテーテルの中への血餅の流れ経路を妨げないことを理由として、吸引を促進する。
【００５２】
図１４ａが、図１２および１３に示されるデバイス４００に類似する本発明の螺旋状デバイスの別の実施形態４２５を示す。このデバイスが、細長い概略平面のフレームワーク４２９を備え、これが、ワイヤから、または、相互接続されるストラット要素から作られ得る。フレームワーク４２９は渦巻き形状または螺旋形状として構成され、その近位端４２８のところで細長いシャフト４２７に接続され、その遠位端４３０のところで断片保護区間４２６に接続され、断片保護区間２４６自体は遠位側先端部４３１のところで終端する。
【００５３】
図１４ｂが図１４ａのデバイスの端面図を示しており、血餅の取り除きおよび回収中に閉塞性物質が失われるリスクを最小にすることを意図される断片保護区間４２６を明瞭に示している。
【００５４】
螺旋形状の構成要素は、血餅に係合されて血餅を除去するための外側ケージとして使用され得るか、または、上記のように、図１５に示されるように、血餅内に配備されるときに流れを回復させるための流れチャンネルを提供する、外側ケージ４５３内にある内側構成要素４５１としても使用され得る。
【００５５】
図１６に示される追加の実施形態が、デバイスの長手方向に沿って捻じられた平坦なデバイス４８５を示す。デバイスがストラットのフレームワーク４８２を備える。非拘束構成では、デバイスの中心線が直線であり、デバイスの側部４８１がこの軸の周りで捻じれたはしごまたはリボンと同様の二重螺旋形状となるように捻じられる。本明細書で説明されるすべてのデザインと同様に、この構成要素は取り除きおよび回収のために血餅に係合されるのに使用され得るか、または、組立体の一部であってもよく、配備時に流れを迅速に回復するための流れチャンネルを提供する内側構成要素として機能してもよい。流れチャンネルとして機能する場合、この構成要素は、血餅に大部分が係合される外側ケージの内部に配置される。
【００５６】
図１７ａ〜ｅに示されるデバイス５００がボディ区間５０１および遠位側断片保護区間５０２を有する。脈管の軸に沿って見ると、図１７ｂ〜ｅに示されるようにボディ区間の断面が「Ｓ」形を有する。非拘束構成では、「Ｓ」形の外側の腕部５０９が曲線形状であり、中間区間５１０が直径を形成する。このデバイスの直径は長さが多様であってよく、通常は０．５ｍｍから１０ｍｍの範囲にある。このデバイスは、血餅５１５内に配備されるときに血餅がデバイスの外側部分上のセルパターンに係合されることになるように、また、デバイスの腕部と直径区間との間で開口部５１１の中に突出することができるように、またそれにより可能性として「Ｓ」形の一方側を埋めることになるように、設計される。「Ｓ」形のもう一方側が、デバイスの配備時に血流を回復するための保護される流れルーメン５１２を提供する。「Ｓ」形の両側は等しく、図１７ｄおよび１７ｅに示されるようにいずれの側も血餅に接触するように配備され得る。血餅に接触するデバイスの側は配備の向きによって決定される。血餅を取り除くために、デバイスが、吸引下で、近位側に配置される、バルーン式の閉塞物誘導カテーテル（ｂａｌｌｏｏｎ  ｏｃｃｌｕｓｉｏｎ  ｇｕｉｄｅ  ｃａｔｈｅｔｅｒ）、標準的なガイドカテーテルまたはシースに戻るように後退させられる。別法として、中間カテーテルまたは遠位側アクセスカテーテルが遠位側の吸引を適用するのに使用され得、デバイスがカテーテルの中に完全にまたは部分的に再装填され得る。再装填中、「Ｓ」プロフィールの一方側の中に突出する血餅がＳ形の腕部によって挟まれて握持され得、それにより血餅に対してのデバイスの握持が改善される。血餅を挟むことは、マイクロカテーテルの中にデバイスを部分的に再装填することによっても達成され得る。
【００５７】
「Ｓ」形の腕部５０９の縁部５０５は、血餅の係合を改善してデバイスの一方側の中へ血餅をより突出させるような特殊な形状を有することができるか、またはそのために曲線状であってよい。
【００５８】
図１８ａおよび１８ｂがデバイスの別の実施形態を示しており、ここでは、流れチャンネル６０１および「Ｃ」形の外側ケージ６０２が直線構成（図１８ａ）および螺旋構成（図１８ｂ）として示される。これらのイメージは単に両方の構成要素の概形を示しており、本明細書で説明されるおよび／または示されるもののうちの任意のものであってよいセルパターンまたはストラットの詳細を示してはいない。
【００５９】
図１９ａ〜ｃに示されるデザインの代替的実施形態では、デバイス６１０の平坦部分が正弦波状または波状の縁部６１１を有し、これが、図１９ｂおよび１９ｃの断面図に示されるような管状の「Ｓ」形または「Ｕ」形の中央区間６１２と組み合わされる。平坦部分までの波状の縁部６１１が、血管系内の蛇行湾曲部の辺りで配備されるかまたは後退させられるときのデバイスの柔軟性を向上させることができる。「Ｓ」形の断面形状６１５は、向きに関係なく、血餅内に配備されるときに血流を回復させるためのデバイスを通る流れルーメンを常に提供することができるという利点を有する。デバイスのいずれの側が血餅に接触するように配備されるかに関係なく、デバイスを通る血流を可能にする保護されるチャンネルが存在する。「Ｓ」形は血餅とデバイスとの間での血餅接触面積を増大させ、それにより血餅に係合されて血餅を取り除くためのデバイスの能力が向上する。「Ｓ」形の断面形状は図２０に示されるようにデバイスの長手方向にそって渦巻き状であってもよい。また、「Ｓ」形は、「Ｓ」形の腕部内の血餅がストラットと中間カテーテルの先端部との間で挟まることを理由として、中間カテーテルによってデバイスを部分的にまたは完全に再装填するときに追加的に血餅を握持することを可能にする。
【００６０】
図２１ａ〜ｃがデバイス６５０の別の実施形態を示しており、ここでは、中間区間６５１が、脈管の軸に対して垂直の側方から見ると、正弦波形状または波形状６５２を有するように、形成される（図２１ｂ）。デバイスが上記のように２つの側で構成され、一方の側が血餅の中の方を向くかまたは血餅に接触し、もう一方側が概して血餅から離れる方を向く。デバイスが逆にされると、上記で血餅の中の方を向いていた側が血餅から離れる方を向くことになる。
【００６１】
波形状のデバイスを形成することで、血餅とデバイスとの間の接触圧力がデバイスの長手方向に沿って変化することになり、それにより場所によっては、デバイスによる血餅の圧縮が低減される。デバイスはまた、血管系から血餅を取り除くときなどのように張力下にある場合に伸長することができる。これにより血餅の直線方向の圧縮が最小となり、取り除くときに血餅を伸長することができ、それにより血餅と血管壁との間の摩擦を低減し、またそれにより、血餅を除去するためにデバイスで必要となる取り除くときの力が低減される。
【００６２】
図２１ｃに示されるデバイスの別の実施形態では、デバイスが、脈管の軸に沿って見る場合に曲線状の縁部６５５を有する。これには、血管壁に接触するデバイスの面積を増大させてそれによりデバイスにより壁に加えられる接触圧力を低減することができる、という利点がある。脈管の軸に沿って見ると、曲線状の縁部６５５が湾曲部分６５７に接していてよく、湾曲部分６５７が平坦区間６５６または連続する湾曲部分の一部分に接しており、したがって断面形状は平坦化された「Ｓ」形の断面形状となる。この断面形状は、折り畳み構成で巻かれるときのプロフィールを改善することができるという利点を有する。これはまた、中間カテーテル、ガイドカテーテル、シースまたはマイクロカテーテルの中に部分的にまたは完全に再装填するときにデバイスの曲線状区間が血餅を挟むのを容易にする。
【００６３】
図２１ｄが、レーザ切断されたＮｉｔｉｎｏｌのストラット６６０で形成される断片保護円錐部分６５３の図を示しており、これが、断片保護メッシュの密集度を上げるための重合体繊維をさらに含むことができる。この円錐部は、平坦シートをレーザ切断して円錐形状となるように巻くことにより、形成され得る。次いで、シート材料が例えばレーザ溶接により継ぎ目６６２のところで一体に接合され得る。別法として、継ぎ目が接続されないままで残されてもよく、それにより、デバイスを再使用する必要がある場合に手技中に掃除することが容易になる。蛍光透視下での視認性を向上させるために、Ｘ線不透過性コイル６６１または先端部が円錐部分にさらに追加されてもよい。
【００６４】
中間区間６５１の一部分が図２１ｅに示される。この図は、中間区間の残りの部分との平面から出るように形成されるフローティングクラウンまたは接続されないクラウン６６５および６６７を示す。これらのクラウンが配備時に血餅に接触し、それにより血餅を取り除くためのデバイスの能力を向上させる。加えて、デバイスが湾曲部の辺りで後退させられるときに、これらのクラウンが血餅に接触した状態を維持し、それにより、湾曲部および分枝を通過して血餅を回収することにおける大きな利点を提供する。
【００６５】
図２２ａ〜ｃが、それぞれ、本発明の別のデバイスの血餅係合部分７００の等角図、平面図および側面図を示す。
デバイス７００が、近位側細長部材（図示せず）に接続され得る近位側ストラット７０６および７０７を備える。これらの近位側ストラットが遠位側においてストラットの要素のネットワークに接続され、このネットワークが、側方レール７０１および７０２と、フローティングセル７０５と、接続アーム７０３とを備える。
【００６６】
デバイス７００などの本発明の種々のデバイスは２つの重ね合わされる波パターンを有することができ、相対的に短い波長および振幅の第１のパターンが、相対的に長い波長および振幅の第２のパターンに重ね合わされる。デバイスのストラット要素が、マイクロカテーテル内でのその比較的直線である送達構成から血管内の血餅の中に配備されるときの起伏状の構成または正弦波構成へと第１の波パターンを戻すために第１の波パターンに比較的大きい復元力を加えるように、構成される。これにより、デバイスが血餅に係合されて、最初に取り除くために確実ではあるが優しく血餅を握持することが可能となる。血餅を回収するために、近位側においてデバイスおよび血餅をより大きい脈管の直径の中に後退させることが必要となり得、しかる後にデバイスおよび血餅を大きいレシービングカテーテル（ｒｅｃｅｉｖｉｎｇ  ｃａｔｈｅｔｅｒ）の中に安全に引っ込めることができるようになる。第２の波パターンがこの後退中に捕捉された血餅を制御する状態をデバイスが維持するのを補助する。この大きい振幅パターンは、脈管のサイズが増大するときにデバイスがそのサイズを脈管に合わせるのを効果的に可能にし、それにより、より大きいより近位側の脈管の直径の中で血餅と接触した状態をデバイスが維持することが可能となり、ここでは、そうでない場合には血餅がデバイスから取り除かれる可能性がある。
【００６７】
これらの２つの異なる波パターンは図２２ｃの側面図で最も明瞭に見ることができ、ここでは、血餅係合部分の全体の有効な中心線が大きい振幅の湾曲部分７２３に従い、デバイスの２つの側方レール７０１および７０２がより短いピッチの正弦波パターン７２１および７２２にそれぞれ従う。
【００６８】
図２３ａが、脈管セグメント７５６内で血餅７５７に係合されるデバイス７０５の概略図を示す。デバイス７５０はデバイス７００に類似するが、追加の断片保護部分７５１を有し、これがその遠位端に付け加えられる遠位側先端部７５２を備える。デバイス７５０が、近位端７５３のところで細長いシャフト（図示せず）に接続され得るボディ区間７５４を備える。ボディ区間７５４は、図２３ａに示されるように配備されるときに、いくぶんか正弦波である起伏状の波のパターンとなるように拡張するように構成される。この波パターンが頂点７６１を備え、これらの頂点７６１が、前記頂点に隣接する示される領域７６０などの個別の領域において血餅を局部的に圧縮するが、血餅の集まりの大部分に対する全体の圧縮を最小にする。したがって、血餅の全体の特性は配備時のデバイスの作用によってもあまり変化しないが、個別の領域７６０がデバイスによって圧縮されて握持される。このように圧縮することにより、血餅が局部的にいくらか脱水され、それによりその摩擦係数が増大し、さらにそれによりその握持およびデバイスとの係合が強化される。しかし、血餅の大部分がデバイスによって圧縮されない状態を維持することから、血餅と脈管との摩擦係合が大きくは強化されない。
【００６９】
図２３ｂが、より大きい直径のより近位側の脈管セグメント７５８の中に後退させられるときの図２３ａのシステムを示す。この大きい直径の脈管では、ボディ区間７５４が、中心線７５９によって概略的に説明される第２の波パターンを採用する。これは、その自由拡張状態において図２３ｂに示されるような形状に適合するようにデバイスを構成することにより達成され得、これが例えばＮｉｔｉｎｏｌのデバイスをこの形状でヒートセットすることによって行われ得る。したがって、デバイスは、送達されるためにマイクロカテーテル内で折り畳まれる場合に、一定の大きさの蓄積エネルギーを有する。血餅の中に配備されるとき、このエネルギーの有意な一部が解放され、それによりデバイスが図２３ａの短い波長パターンを採用することが可能となる。より大きい直径の脈管の中にデバイスが後退させられるときに、残りの蓄積エネルギーが作用し、それによりデバイスが図２３ｂに示されるような重ね合わせの長い波長パターンを採用することが可能となり、これが、デバイスの有効直径を増大させて血餅および血管壁との付着状態を維持することにより、捕捉される血餅に対してのデバイスの握持を維持するのを補助する。
【００７０】
デバイスのこの実施形態および他の実施形態が、図２２ｂの平面図内の側方レール７０１および７０２の屈曲部分などの追加の波パターンの特徴部分、ならびに、図２１ｂおよび２１ｃでより明瞭に示されるフローティングクラウン７０５などの「平面から出る」突出部の特徴部分を有することができる。
【００７１】
図２４ａに示されるデバイス８００は本発明の別の実施形態である。このデバイスが中間区間８０１で構成され、中間区間８０１が、一実施形態では、平坦シートから形成され、平坦な断面または特殊な形状の断面を有する一連の波形状として固まる。この区間は切断されたチューブを平坦化することによっても形成され得るか、または、脈管の軸に沿って見る場合に長円もしくは楕円の断面形状のチューブを使用しても形成され得る。示される実施形態では、中間区間８０１が断片保護特徴部分８０２および近位側区間８０３と組み合わされる。近位側区間は別個の構成要素であってよく、管状形状または円錐形状として形成され得る。この区間は、デバイスのシャフト８０６上に配置されるカラー８０５に接続される１つまたは複数の近位側ストラット８０４によってデバイスに接続される。
【００７２】
カラー８０５がシャフト８０６に固定され得るか、または、自由に移動することが可能でありシャフトに沿って摺動することが可能であってもよい。図２４ｂが、中間区間８０１を基準として近位側位置にある近位側区間８０３を備えるデバイスの平面図を示す。これは、血の塊または閉塞箇所内に最初に配備されるときのデバイスの一般的な向きである。血餅を取り除くためにデバイス８００が後退させられるとき、最初は構成要素と血管壁との間の摩擦により近位側区間８０３が静止した状態を維持する。デバイスの後退時、中間区間８０１および血餅が区間８０３を基準として近位側に移動し、それにより近位側区間のストラットの下方で血餅を部分的に後退させることが可能となる。これが血餅を握持するのを補助し、また、より大きい直径の脈管の中へとデバイスが後退させられるときに血餅との接触が失われるのを防止するのを補助する。継続してデバイスを後退させることにより、中間区間８０１の近位側接合箇所に接触するシャフト８０６上のカラー８０５により近位側区間８０３の移動が制限されることを理由としてすべての区間が単一ユニットとして近位側に移動する。次いで、血管系からの除去のために、デバイスおよび血餅が近位側カテーテルまで後退させられ得る。
【００７３】
図２５ａが本発明の別の実施形態の等角図を示す。このデバイス８５０では、ボディ区間８５１が、図２２で説明されるものと同様の長手方向の波形状を有するように形成される。ボディ区間８５１が１つまたは複数の接続点８５５のところで２つ以上のプルワイヤ８５３および８５４にさらに接続される。これらのプルワイヤ８５３、８５４が近位側ハンドル（図示せず）まで延在し、ここでは、使用者または医師がワイヤに張力を加えることができる。これらのワイヤに張力を加えることにより、ボディ区間８５１の波プロフィールが修正され得、頂点８５９と８６０との間のピッチ間隔が短くされ得る。これにより、波形状の谷区間８５６内で血餅を挟むことが強化され得る。図２５ｂが脈管（図示せず）内に配備されて血の塊８５７に係合されるデバイス８５０を示す。マイクロカテーテル８５８を通るようにプルワイヤ８５３を作動させることにより、血餅８５７がデバイスの谷区間８５６内で握持されて圧縮される。
【００７４】
図２５ｃが、別の反復のデバイスの、脈管の軸に沿う端面図を示す。このデザインでは、使用者がプルワイヤ８６１および８６２に張力を加えることにより、「Ｓ」形の側方翼部分８６３および８６４が「Ｓ」の直径部分８６５の方に向かって移動する。このデバイスが血の塊（図示せず）に接触するように配備されると、側方翼部分８６３および８６４の作用により血餅が挟まれ、それにより血餅に対してのデバイスの握持が改善される。別法としてワイヤ８６２および８６１を押すことにより、使用者が、完全に拡張してより大きい面積にわたって血餅に係合されるためのデバイスの能力を向上させることができる。
【００７５】
図２６ａ〜２６ｄが本発明のデバイスの使用方法を示す。従来の既知のテクニックを使用して、ガイドワイヤ９０４およびマイクロカテーテル９０２が血管系９００内に挿入され、閉塞性血餅９０１を横断するように前進させられる。マイクロカテーテル９０２が閉塞性血餅９０１の遠位側に配置されると、ガイドワイヤ９０４が血管系９００から取り外され、それにより血餅回収デバイス９１０をマイクロカテーテル９０２を通して前進させることが可能となる。デバイス９１０は、デバイスの遠位側先端部がマイクロカテーテル９０２の遠位端に到達するまで、折り畳み構成で前進させられる。好適にはデバイス９１０の遠位端が血餅９０１の遠位側に配置されるような形で血餅９０１を横断するように血餅回収デバイスを配備するために、デバイス９１０の位置を維持しながら、マイクロカテーテル９０２が後退させられる。デバイス９１０は、細長い近位側シャフト部分９１１に接続される血餅係合部分９１２で構成される。デバイス９１０が拡張して波パターンで閉塞性血餅に係合され、それによりデバイスの頂点に隣接する個別の領域において血餅が局部的に圧縮されるようになり、血餅の集まりの大部分に対する全体の圧縮が最小となる。デバイス９１０が、所望される場合に血餅９０１内で一定時間だけ定温放置することが可能となり得る。標準的なテクニックと同様にガイドカテーテル上でバルーン９１５を膨らませることにより、脈管内の流れを止めることが利用され得る。デバイス９１０を後退させることにより血餅が動脈内でのその位置から取り除かれ、デバイスをさらに引っ込めることにより血餅９０１が回収され、これは、血餅がガイドカテーテル９０３またはイントロデューサシースの中に回収され得るまで続く。図２６ｄが、ガイドカテーテル９０３の中に回収されるときのデバイスに係合される血餅を示す。この血餅回収プロセスでは、流れの閉塞、吸引、および、他の標準的なテクニックが使用され得る。デバイス９１０は、挿入ツールの中に再び装填される前に、食塩水ですすぎ洗いされ得、緩やかに掃除され得る。デバイス９１０は、必要である場合に、閉塞性血餅の追加のセグメントの中に再配備されるようにマイクロカテーテルの中に再導入され得る。
【００７６】
図２７ａ〜２７ｄが図２６ａ〜２６ｄに示されるデバイスの概略の詳細を示し、図２３に示されるデバイスの一実施形態を示す。図２７ａが、血餅係合部分９３０および近位側シャフト９３１を含むデバイスの側面図を示す。図２７ｂがデバイスの平面図を示し、対して、図２７ｄが同じデバイスの等角図を示す。図２７ｃが図２７ａで詳説されるＡ−Ａの断面図を示す。デバイスが平坦シートから形成され得、平坦な断面を維持しながら一連の波形状としてヒートセットされ得る。別の実施形態では、デバイスが曲線状の断面もしくは特殊な形状の断面を有することができるか、または、切断されたチューブを平坦化することによっても形成され得るか、または、脈管の軸に沿って見る場合に長円もしくは楕円の断面形状チューブを使用しても形成され得る。示されるすべての実施形態と同様に、このデバイスは、例えば図２３ａおよび２３ｂで示されるような、断片保護特徴部分を組み込むことができる。
【００７７】
一実施形態では、自由拡張状態での波パターンの振幅が、回収されるべき閉塞性血餅が位置するところの脈管の直径の０．５倍から３．０倍の間である。好適な実施形態では、自由拡張状態での波パターンの振幅が、回収されるべき閉塞性血餅が位置するところの脈管の直径の０．５倍から２．０倍の間である。最も好適な実施形態では、自由拡張状態での波パターンの振幅が、回収されるべき閉塞性血餅が位置するところの脈管の直径の０．５倍から１．５倍の間である。自由拡張状態での波パターンのピッチが、回収されるべき閉塞性血餅が位置するところの脈管の直径の好適には１．０倍から４．０倍の間である。自由拡張状態での波パターンのピッチが、波パターンの振幅の好適には０．５倍から２．０倍の間である。人間の中大脳動脈内で使用される好適な実施形態では、波パターンの振幅が２．０ｍｍから６．０ｍｍの間であり、波パターンのピッチが３．０ｍｍから８．０ｍｍの間である。
【００７８】
デバイスの別の実施形態が図２８ａ〜２８ｃに示される。デバイスの等角図が図２８ａに示され、対して、図２８ｂが側面図を示し、図２８ｃが同じデバイスの平面図を示す。デバイス９５２が、細長いシャフト９５１に接続される血餅係合区間９５０で構成される。区間９５０は、平坦シートの中にセルパターンをレーザ切断して、血餅に係合させるために部分的な波パターンまたは完全な波パターンとなるようにヒートセットすることにより、形成され得、それにより、血餅の全体の圧縮を最小にするが良好な取り除きのための握持を実現する。このデバイスは、本明細書の他の場所で開示されるセルパターンのうちの任意のセルパターンを有することができ、図２６ａ〜ｄに関連して説明されるように血餅を回収するのに使用され得る。デバイスの波状形状がデバイスの長手方向に沿って血餅とデバイスとの間の接触圧力を変化させ、デバイスにより血餅に対して比較的大きい圧縮力を作用させるところの頂点９５３と、デバイスにより血餅に対してまったくといってよいくらいに圧縮力を作用させないところの谷９５４とを形成する。頂点９５３の間の谷９５４が受けスペースとして機能し、頂点９５３のところで血餅が圧縮されるときに血餅がこの受けスペースの中に自由に流れ込むことができる。大きく圧縮される領域によりデバイスのストラットを血餅の中に埋め込むことが可能となり、それにより微視的レベル（ストラット）および巨視的レベル（デバイスの波パターン）との両方で機械的な握持が実現される。デバイスはまた、血管系から血餅を取り除くときなどのように張力下にある場合に伸長することができる。これにより血餅の直線方向の圧縮が最小となり、取り除くときに血餅を伸長することができ、それにより血餅と血管壁との間の摩擦を低減し、またそれにより、血餅を除去するためにデバイスで必要となる取り除くときの力が低減される。
【００７９】
図２９ａが、長手方向または横方向の波状形状となるように形成され得る異なる平坦なデバイスのパターンの実施例を示す。切断パターンは、血餅の埋め込みおよび握持を最大にするためにクラウンまたは横断ストラットなどの特定のセル特徴部分を波パターンの頂点および谷に位置合わせするように、最適化され得る。例えば、セルの列９７３が波長に位置合わせされ得、その結果、クラウン９７４がデバイスの波の頂点または谷（最大または最小の波の振幅）のところに配置される。同様に、横断ストラット９７５が波の頂点もしくは谷のところに配置され得るか、または、波高の中間の中心線のところに配置され得る。デバイスの外側縁部９７１が曲線状であってよく、それにより脈管の接触圧力が最小となる。
【００８０】
図２９ａに示されるデバイスが脈管の軸に沿って見る場合に平坦な断面、曲線状の断面または特殊な形状の断面を有することができ、例えば図２９ｂがこの実施形態の断面図（Ｂ−Ｂ）を示す。この断面図は、波パターンを作るための形成プロセスの前にまたはその一部として、デバイスとなるようにヒートセットされ得る曲線状プロフィールを示す。デバイスの断面形状は図２９ｂに示されるような平坦区間と曲線状区間との組み合わせであってよく、ここでは、デバイスが中間区間９８０内で平坦であり、各側９８１の曲線区間および追加の直線区間９８２と組み合わされる。
【００８１】
図３０ａ〜３０ｆが本発明の別のデバイス１００６の使用方法を示し、ここでは、デバイスが自由拡張状態で図１２に示されるものと同様に概略渦巻きまたは螺旋構成を採用する。このデバイスは、チューブから必要なストラットパターンをレーザ切断することにより形成され得るか、または、平坦シートを切断してヒートセットの前にマンドレルの周りで平坦部分を巻くことにより形成され得る。図３０ａ〜３０ｆが本発明のデバイスの使用方法を示す。図３０ａが、分岐点を有する動脈１００１と、分岐点のところに配置される閉塞性血餅１００２との図を示す。従来の既知のテクニックを使用して、マイクロカテーテル１００３が動脈１００１内に挿入され、閉塞性血餅１００２を横断するように前進させられる。次いで、血餅回収デバイス１００６がマイクロカテーテル１００３を通して標的ロケーションまで前進させられ得る。血餅を横断するように血餅回収デバイスを配備するために、デバイス１００６の位置が維持される間にマイクロカテーテルが後退させられ、その結果、デバイス１０１１の断片保護区間が好適には血餅１００２の遠位側に配置される。
【００８２】
デバイス１００６は、細長い近位側シャフト部分および遠位側断片保護区間１０１１に接続される血餅係合部分１０１０で構成される。デバイスの血餅係合部分１０１０が拡張して螺旋構成となり、それによりデバイスにより血餅を部分的にまたは完全に包み込むことが可能となる。これにより、血餅の集まりの全体の圧縮を最小にしながらデバイスが血餅を握持して取り除くことが可能となり、それにより血餅がより容易に除去されるようになる。最初に取り除くとき、血餅は部分的にデバイスの外側にあってよいかまたはデバイスの近位側にあってよく、ガイドカテーテルまたはシースへ後退させられるときにデバイスの中心に向かって移動することができる。ガイドカテーテル１００５および中間カテーテル１００４が図３０ｂ〜３０ｆに示される。図３０ｄに示される使用方法では、中間カテーテル１００４が血餅１００２の表面まで前に進められ、ガイドカテーテル１００５の中へのデバイスおよび血餅の回収の前に局部的な吸引が適用される。このデバイスはまた、流れの閉塞、吸引、および、血餅回収プロセス中に通常使用される他の標準的なテクニックと共に使用され得る。図３０ｅ〜３０ｆが、デバイス１０１１の断片保護部分が、取り除き中におよびガイドカテーテルまたはシース１００５の中への回収中に千切れる可能性があるかまたは解放される可能性がある閉塞性血餅１００２の断片１０１２をいかにして捕捉することができるかを示している。
【００８３】
図３１がデバイスの別の実施形態１０３０を示しており、ここでは、デバイスの近位側部分が概略渦巻きまたは螺旋形状１０３１となるように構成され（図３０のデバイス１００６と同様）、放射状部分または管状部分１０３３に接続される。螺旋部分が近位側シャフト１０３４またはデバイスの追加の部分に接続され得る。遠位側管状部分が断片保護区間１０３５を含み、非外傷性の遠位側Ｘ線不透過性先端部１０３２に接続される。示される螺旋区間１０３１は概略的な図であり、通常はレーザ切断されるセルパターンで構成される。デバイス１０３１の螺旋部分は線維素を多く含む（ｆｉｂｒｉｎ  ｒｉｃｈ）粘着質の血餅を取り除くための性能を向上させることを意図され、対して、管状区間１０３０がガイドカテーテルまたはシースへの回収中に血餅を良好に後退させるのを実現する。示されるすべての実施形態と同様に、デバイスは挿入ツールの中に再び装填される前にすすぎ洗いされて緩やかに掃除され得る。デバイスは、必要である場合に、閉塞性血餅の追加のセグメントの中に再配備されるようにマイクロカテーテルの中に再導入され得る。
【００８４】
図３２ａが、近位側において細長いシャフト１０５１に取り付けられて遠位側において任意選択の遠位側先端部１０５５に取り付けられる血餅係合部分１０５０を備える本発明の別の血餅回収デバイスの等角図を示す。血餅係合部分１０５０がセル要素１０５２から形成される一対の側方レールを備え、これに対して、複数の血餅係合ストラット要素１０５３および１０５４が接続される。ストラット要素１０５３および１０５４が、端面図である図３２ｂで示されるように、側方レールによって画定される平面の両側に突出する。このデザインは上で開示した波状のデバイスと同様の原理で動作することを意図され、ここでは、横断ストラット１０５３および１０５４のところで局部的な領域に血餅への大きい埋め込みの力を提供し、隣接する領域にはまったくといってよいくらいに埋め込みの力または径方向の力を提供しない、ことを意図される。横断ストラットのところの大きい埋め込みの力により血餅とデバイスとの間へと機械的に干渉し、それによりデバイスが血餅を確実に握持することが可能となるが、このような埋め込みおよびそれにより得られる血餅の圧縮が十分に分離され限定された領域に適用されることを理由として、血餅の集まりの全体の特性に対する影響が最小となる。これは非常に重要な利点である。というのは、発明者らが、血餅を圧縮することが血餅をより固くしてその摩擦係数を上げる可能性があり、その両方が回収をより困難なものとする可能性があること、を発見したからである。
【００８５】
図３３ａが、近位側において細長いシャフト１０８１に取り付けられて遠位側において任意選択の遠位側バスケット１０８２に取り付けられる血餅係合部分１０８０を備える、本発明の別の血餅回収デバイスの等角図を示す。血餅係合部分１０８０が、互いに対してほぼ直角となるように位置合わせされる複数の隣接するセグメント１０８３および１０８４を備える。各セグメント１０８３または１０８４は形状が概して平坦であってよいが、得られる全体の構造１０８０が図３３ｂに示される端面図で見ることができるような三次元構造を有する。これらの交互のセグメントが、血餅内に、上で示した波状のデザインと同様の、強い圧縮領域と弱い圧縮領域とのパターンを形成し、これが最小の力で血餅を握持して回収するという点で同様の利点を有する。
【００８６】
本発明の特定の実施形態を示して説明してきたが、本発明の趣旨および範囲から逸脱することなく多様な修正形態が作られ得ることが、上記の説明から明らかであろう。例えば、本明細書で説明される実施形態が特定の特徴を参照するが、本発明は、特徴の多様な組み合わせを有する実施形態を含む。また、本発明は、説明される具体的な特徴のすべてを有するわけではない実施形態も含む。
【００８７】
本発明は本明細書において上で説明した実施形態のみに限定されず、これらの実施形態は構成および細部が変更され得る。
【図１ａ】
2017535352.tif 000003
【図１ｂ】
2017535352.tif 000004
【図２ａ】
2017535352.tif 000005
【図２ｂ】
2017535352.tif 000006
【図２ｃ】
2017535352.tif 000007
【図２ｄ】
2017535352.tif 000008
【図３ａ】
2017535352.tif 000009
【図３ｂ】
2017535352.tif 000010
【図４】
2017535352.tif 000011
【図５】
2017535352.tif 000012
【図６】
2017535352.tif 000013
【図７】
2017535352.tif 000014
【図８ａ】
2017535352.tif 000015
【図８ｂ】
2017535352.tif 000016
【図９】
2017535352.tif 000017
【図１０】
2017535352.tif 000018
【図１１ａ】
2017535352.tif 000019
【図１１ｂ】
2017535352.tif 000020
【図１１ｃ】
2017535352.tif 000021
【図１１ｄ】
2017535352.tif 000022
【図１２】
2017535352.tif 000023
【図１３】
2017535352.tif 000024
【図１４ａ】
2017535352.tif 000025
【図１４ｂ】
2017535352.tif 000026
【図１５】
2017535352.tif 000027
【図１６】
2017535352.tif 000028
【図１７ａ】
2017535352.tif 000029
【図１７ｂ】
2017535352.tif 000030
【図１７ｃ】
2017535352.tif 000031
【図１７ｄ】
2017535352.tif 000032
【図１７ｅ】
2017535352.tif 000033
【図１８ａ】
2017535352.tif 000034
【図１８ｂ】
2017535352.tif 000035
【図１９ａ】
2017535352.tif 000036
【図１９ｂ】
2017535352.tif 000037
【図１９ｃ】
2017535352.tif 000038
【図２０】
2017535352.tif 000039
【図２１ａ】
2017535352.tif 000040
【図２１ｂ】
2017535352.tif 000041
【図２１ｃ】
2017535352.tif 000042
【図２１ｄ】
2017535352.tif 000043
【図２１ｅ】
2017535352.tif 000044
【図２２ａ】
2017535352.tif 000045
【図２２ｂ】
2017535352.tif 000046
【図２２ｃ】
2017535352.tif 000047
【図２３ａ】
2017535352.tif 000048
【図２３ｂ】
2017535352.tif 000049
【図２４ａ】
2017535352.tif 000050
【図２４ｂ】
2017535352.tif 000051
【図２４ｃ】
2017535352.tif 000052
【図２５ａ】
2017535352.tif 000053
【図２５ｂ】
2017535352.tif 000054
【図２５ｃ】
2017535352.tif 000055
【図２６ａ】
2017535352.tif 000056
【図２６ｂ】
2017535352.tif 000057
【図２６ｃ】
2017535352.tif 000058
【図２６ｄ】
2017535352.tif 000059
【図２７ａ】
2017535352.tif 000060
【図２７ｂ】
2017535352.tif 000061
【図２７ｃ】
2017535352.tif 000062
【図２７ｄ】
2017535352.tif 000063
【図２８ａ】
2017535352.tif 000064
【図２８ｂ】
2017535352.tif 000065
【図２８ｃ】
2017535352.tif 000066
【図２９ａ】
2017535352.tif 000067
【図２９ｂ】
2017535352.tif 000068
【図３０ａ】
2017535352.tif 000069
【図３０ｂ】
2017535352.tif 000070
【図３０ｃ】
2017535352.tif 000071
【図３０ｄ】
2017535352.tif 000072
【図３０ｅ】
2017535352.tif 000073
【図３０ｆ】
2017535352.tif 000074
【図３１】
2017535352.tif 000075
【図３２ａ】
2017535352.tif 000076
【図３２ｂ】
2017535352.tif 000077
【図３３ａ】
2017535352.tif 000078
【図３３ｂ】
2017535352.tif 000079
【国際調査報告】
2017535352.tif 000080
2017535352.tif 000081